(57)【要約】【課題】動画ファイル及びそれに付随する関連情報ファイルに欠落したファイルがあっても、それを復元して再生可能とする記録再生装置を提供することを目的とする。【解決手段】動画データに関連する関連情報を、撮影時以外にも外部入力画像又は再生画像をもとに作成し、記録する手段を備える。【選択図】      図１
2004357157.tif 000002
【特許請求の範囲】
【請求項１】
画像データと該画像データに関連する少なくても１つ以上の関連情報とを別ファイルにして記録媒体に記録する記録手段と、
前記画像データの生成後、所定の動作時において前記関連情報の一部又は全部のファイルを生成する生成手段とを備えたことを特徴とする記録再生装置。
【請求項２】
外部から画像データを入力可能な入力手段をさらに有し、前記生成手段は前記関連情報の一部もしくは全部が付加されていない画像データを前記入力手段から入力したときに、入力された画像データに関連する前記関連情報のファイルを生成することを特徴とする請求項１に記載の記録再生装置。
【請求項３】
前記記録媒体から前記画像データを再生する再生手段をさらに有し、前記生成手段は前記再生手段が再生動作を行うときに前記関連情報のファイルを生成することを特徴とする請求項１に記載の記録再生装置。
【請求項４】
前記生成手段は前記記録手段の所定の動作時において前記画像データに関連する前記関連情報の一部もしくは全部が欠落していると判定したときに、欠落した前記関連情報のファイルを生成することを特徴とする請求項１に記載の記録再生装置。
【請求項５】
前記記録媒体上のデータの不連続を解消するためのデータ不連続解消動作を行うときに、前記生成手段は前記関連情報のファイルを生成することを特徴とする請求項４に記載の記録再生装置。
【請求項６】
前記記録媒体に記録された前記画像データのプレイリストの作成を行うときに、前記生成手段は前記関連情報のファイルを生成することを特徴とする請求項４に記載の記録再生装置。
【請求項７】
前記関連情報とは、前記画像データの先頭からの経過時間と、前記画像データのデータアドレスとを相互に変換可能な情報であることを特徴とする請求項１から請求項６までのいずれか１項に記載の記録再生装置。
【請求項８】
前記関連情報とは、前記画像データの属性情報であることを特徴とする請求項１から請求項６までのいずれか１項に記載の記録再生装置。
【請求項９】
前記関連情報とは、前記画像データの内容を表すための静止画像であることを特徴とする請求項１から請求項６までのいずれか１項に記載の記録再生装置。
【請求項１０】
前記画像データとは、可変データレートで画像圧縮された動画データであることを特徴とする成する請求項１から請求項６までのいずれか１項に記載の記録再生装置。
【発明の詳細な説明】
【０００１】
【発明の属する技術分野】
本発明は撮影した動画データとそれに付随する関連情報を別ファイルとして記録媒体に記録出来る動画記録再生装置に関する。
【０００２】
【従来の技術】
従来、記録した動画データファイルの概要を知る為の関連情報の一つとして、動画データのサムネイルを作成して記録することが一般的に行われている（例えば、特許文献１参照。）。また、動画データに対するその他の関連情報としては、記録された動画データ中の各フレームへの高速ランダムアクセスを実現するためのアドレスを記録したタイムマップテーブルや、作成日時、タイトル及び著作権情報といったメタデータなどが知られている。
【０００３】
ここで、動画データ及び上述したような関連情報が記録可能なカメラ一体型ビデオレコーダーの構成を図３に示し、関連情報の記録動作について説明する。
【０００４】
レンズ（３０１）を通してＣＣＤ（３０２）で撮像された映像信号はカメラ信号処理部（３０３）でデジタルデータとされ、画像特徴抽出部（３０４）、液晶ディスプレイ（ＬＣＤ）表示処理手段（３０５）、圧縮伸長処理部（３０６）にそれぞれ入力される。画像特徴抽出部（３０４）に入力された映像データからはシーンの変わり目等の特徴が検出され、たとえばシーンの切り替わり部分の画像データがサムネイル生成手段（３０７）に入力される。サムネイル生成手段（３０７）でサイズ変更等を受けた画像データは静止画圧縮伸長手段（３０８）に入力されたとえばＪＰＥＧ圧縮が施される。
【０００５】
ＬＣＤ表示処理手段（３０５）に入力された映像は撮影中の映像をユーザーが確認したり、再生した映像をユーザーが楽しむために表示される。また、圧縮伸長処理部（３０６）では映像信号がたとえばＭＰＥＧ圧縮される。
【０００６】
またマイク（３１４）から得られた音声信号は音声処理部（３１５）でデジタル化や圧縮が施される。圧縮伸長処理部（３０６）から得られたＭＰＥＧ映像データ、静止画圧縮伸長手段（３０８）から得られたＪＰＥＧサムネイルデータ、音声処理部（３１５）から得られた音声データはそれぞれ記録再生処理部（３１１）に入力される。
【０００７】
日付データ発生部（３１０）からの日付データはＣＰＵ（３０９）に入力されており、ＣＰＵ（３０９）はユーザーがトリガボタン（３１６）を押して記録を開始した時の日時データをメタデータとして記録再生処理部（３１１）に送る。記録再生処理部（３１１）はこれらのデータをディスク（３１２）にそれぞれ別ファイルとして周知のＦＡＴなどのファイルシステムを通して記録する。また記録再生処理部（３１１）はＭＰＥＧ映像データを記録する時にどのフレームをどのアドレスに記録したかというタイムマップテーブルを生成し、同時にディスク（３１２）に別ファイルとして記録する。
【０００８】
このようにして保存されたＭＰＥＧ映像データに対する関連情報がＪＰＥＧサムネイルデータ、メタデータ、そしてタイムマップテーブルである。
【０００９】
デジタルインターフェース（３１３）では圧縮された映像データが入出力され、例えば他の映像記録再生装置との間で映像データのダビングが行われたり、デジタルテレビに映像データを出力する。デジタルインターフェース（３１３）から入力された映像データは、記録時はそのまま記録再生処理部（３１１）に入力され、再生時は圧縮伸長処理部（３０６）でデコードされてＬＣＤ表示処理手段（３０５）で表示される。
【００１０】
図４にディスク（３１２）上に書かれている各情報の記録イメージを示す。たとえば領域（４０１）には映像音声のデータ、領域（４０２）にはサムネイルデータ、領域（４０３）はメタデータ、領域（４０４）はタイムマップテーブルである。これらのデータの関連付けは例えばファイル名規則等で行う。例えば映像音声データのファイル名が“ｆｉｌｅ００００１．ｍｐｇ”だとするとサムネイルデータは“ｆｉｌｅ００００１．ｔｈｍ”、メタデータは“ｆｉｌｅ００００１．ｍｐ７”、タイムマップテーブルは“ｆｉｌｅ００００１．ｔｂｌ”である。
【００１１】
以上の様に生成された関連情報は例えばパーソナルコンピュータ（ＰＣ）アプリケーションやデジタルテレビアプリケーション等に有用である。ユーザーはサムネイル画像を使って再生する映像を選択したり、撮り貯めた映像ライブラリを日付データ毎に管理したり、また再生データを指定時間間隔飛びにサーチしたりする。
【００１２】
【特許文献１】
特開２００２‐３０５７１３号公報
【００１３】
【発明が解決しようとする課題】
しかしながら、デジタルインターフェース（３１３）を通して、外部のＰＣや他の記録再生装置がディスク（３１２）にアクセスしディスク（３１２）に記録されている各ファイルをコピーする際に誤って消去や上書きしてしまったり、何らかの理由で関連情報が記録できなかったり、或いは動画ファイルや関連情報ファイルの名前や内容を編集して新たなファイルとして作り変えた場合など、本来あるべき動画データ及びその関連情報が揃わない状況になってもわからないという問題があった。
【００１４】
そしてその結果、前記ＰＣアプリケーションやデジタルテレビアプリケーション等のユーザーに有用な機能が提供できなくなるという課題があった。
【００１５】
本発明は上記の如き問題点を解決して、動画ファイル及びそれに付随する関連情報ファイルに欠落したファイルがあっても、それを復元して再生可能とする記録再生装置を提供することを目的とする。
【００１６】
【課題を解決するための手段】
斯かる目的を達成する為の手段として、本発明は以下の構成からなる手段を有する。
本発明の記録再生装置は、ことを特徴とする。
【００１７】
【発明の実施の形態】
以下、図面を参照しながら本発明の好適な実施の形態を説明する。
【００１８】
図１に本発明の実施の形態における、記録再生装置の構成ブロック図を示す。
【００１９】
レンズ（１０１）を通してＣＣＤ（１０２）で撮像された映像信号はカメラ信号処理部（１０３）でデジタルデータとされ、スイッチ（１１７）、ＬＣＤ表示処理手段（１０５）、圧縮伸長処理部（１０６）にそれぞれ入力される。
【００２０】
スイッチ（１１７）を通過して画像特徴抽出部（１０４）に入力された映像データからはシーンの変わり目等の特徴が検出され、たとえばシーンの切り替わり部分の画像データがサムネイル生成手段（１０７）に入力される。サムネイル生成手段（１０７）でサイズ変更等を受けた画像データは静止画圧縮伸長手段（１０８）に入力されたとえばＪＰＥＧ圧縮が施される。
【００２１】
ＬＣＤ表示処理手段（１０５）に入力された映像は、撮影中の映像をユーザーが確認したり、再生した映像をユーザーが楽しむために、不図示のＬＣＤで表示される。
【００２２】
また、圧縮伸長処理部（１０６）では映像信号がたとえば可変のデータレートのＭＰＥＧ方式で、圧縮または伸長処理される。
【００２３】
マイク（１１４）から得られた音声信号は音声処理部（１１５）でデジタル化や音声圧縮が施される。圧縮伸長処理部（１０６）から得られたＭＰＥＧ圧縮された映像データ、静止画圧縮伸長手段（１０８）から得られたＪＰＥＧサムネイルデータ、音声処理部（１１５）から得られた音声データはそれぞれ記録再生処理部（１１１）に入力される。
【００２４】
日付データ発生部（１１０）からの日付データはＣＰＵ（１０９）に入力されており、ＣＰＵ（１０９）はユーザーがトリガボタン（１１６）を押して記録を開始した時の日時データをメタデータとして記録再生処理部（１１１）に送る。
【００２５】
記録再生処理部（１１１）はこれら、圧縮映像データ、圧縮音声データ、サムネイルデータ、メタデータを、ディスク（１１２）にそれぞれ別ファイルとして周知のＦＡＴなどのファイルシステムを通して記録する。また記録再生処理部（１１１）は、ＭＰＥＧ圧縮された映像データを記録する時にどのフレームをどのアドレスに記録したかというタイムマップテーブルを生成し、同時にディスク（１１２）に別ファイルとして記録する。
【００２６】
デジタルインターフェース（１１３）では圧縮された映像・音声データや各種データの入出力が可能であり、例えば他の映像記録再生装置との間で映像データのダビングが行われたり、デジタルテレビに映像データを出力したりする。
【００２７】
デジタルインターフェース（１１３）から入力された映像データは、記録時はそのまま記録再生処理部（１１１）に入力され、表示するときは圧縮伸長処理部（１０６）でデコードされてＬＣＤ表示処理手段（１０５）で表示される。
【００２８】
さらに、デジタルインターフェース（１１３）を通して入力された映像データについて、記録再生処理部（１１１）に入力された映像データはそのままディスク（１１２）に記録される。一方、圧縮伸長処理部（１０６）に入力された映像データはいったんデコードされ、スイッチ（１１７）にも入力される。
【００２９】
スイッチ（１１７）はカメラ撮影による映像入力時は（１１７ａ）側に接続されており、デジタルインターフェースからの映像入力時には（１１７ｂ）側に接続されている。
【００３０】
（１１７ａ）側に接続されているときは、従来例と同様に、レンズ（１０１）を通してＣＣＤ（１０２）で撮像された映像信号がカメラ信号処理部（１０３）でデジタルデータとされ、スイッチ（１１７ａ）から画像特徴抽出部（１０４）に入力され、サムネイル生成手段（１０７）に入力され、カメラ撮影画像に対するサムネイル画像を生成する。
【００３１】
また、（１１７ｂ）側に接続されている時はデジタルインターフェース（１１３）を通して入力され、圧縮伸長処理部（１０６）でデコードされた映像データが画像特徴抽出部（１０４）に入力され、この映像に対してサムネイル生成のための特徴抽出が行われる。
【００３２】
画像特徴抽出部（１０４）における特徴抽出アルゴリズムは、例えばフレーム間の相関の低いところをシーンチェンジと認識して抽出するといった方式である。ここで特徴抽出され、サムネイル生成部（１０７）でサムネイルとして生成され、さらに生成されたサムネイル画像について静止画圧縮伸長部（１０８）でＪＰＥＧ圧縮した後、記録再生処理部（１１１）に入力される。
【００３３】
デジタルインターフェースの入出力はＣＰＵ（１０９）によって制御される。外部より入力した映像データ（ストリーム）に日付データが含まれている場合には、ＣＰＵ（１０９）はその日付情報を取得する。ＣＰＵ（１０９）はこの日付データがストリーム中に含まれているかどうかを入力時或いはデコード時に判断し、日付データがストリームの中に含まれているときにはその日付データをメタデータとして記録再生処理部（１１１）に送り、日付データがストリームの中に含まれていない時はＣＰＵ（１０９）がデジタルインターフェース（１１３）を制御して入力を開始した時刻を日付データ発生部１１０から入手し、それを日付データのメタデータとして記録再生処理部（１１１）に送るように構成する。
【００３４】
このようにデジタルインターフェースを通して外部から入力された映像データに対しても、特徴抽出によるサムネイル生成や、日付データ生成によるメタデータ生成を行うことによって、カメラ撮影データと同様に関連情報を得る事が出来る。
【００３５】
これまではデジタルインターフェースを通して映像を入力した場合に不足している関連情報を新たに生成する構成について述べた。続いて、装置内で映像データを編集などして新たな映像クリップを生成した場合に、関連情報を生成するケースについて以下に詳述する。
【００３６】
図２に本実施の形態におけるデータの構成図である。ディスク（１１２）に記録されている、ファイル（２０１）は第１の映像クリップでこの映像クリップに付随した関連情報ファイルがサムネイル（２０２）、タイムマップテーブル（２０３）、メタデータ（２０４）だとする。同様にファイル（２０５）は第２の映像クリップでこの映像クリップに付随した関連情報ファイルがサムネイル（２０６）、タイムマップテーブル（２０７）、メタデータ（２０８）だとする。
【００３７】
このとき、ディスク（１１２）の記録データを編集して、ユーザーが第１の映像クリップの一部（２０９）と第２の映像クリップの一部（２１０）から第３の映像クリップ（２１１）を生成したとする。このままではこの編集作業で得られるのは映像データだけなので関連情報が生成されない。
【００３８】
そこで、本実施の形態では先述したデジタルインターフェースから映像データを入力した場合の関連情報の生成方法と同様、ユーザーが編集作業によって新たに映像クリップ（２１１）を生成した場合は、生成したクリップを圧縮伸長処理部（１０６）に送って一旦デコードし、新たなサムネイルデータを生成する構成とする。動作はデジタルインターフェースから映像を入力した場合の実施形態と同様である。
【００３９】
このようにユーザーがメディアに記録されている映像データを編集して新たな映像クリップを生成して得られた映像データに対しても特徴抽出によるサムネイル生成や日付データ生成によるメタデータ生成を行うことによって、カメラ撮影データと同様に関連情報を得る事が出来る。
【００４０】
また、ディスクなどのランダムアクセス性を有する記録媒体に上記のごとく映像データを記録する場合などにおいては、該データの記録が連続しなくなる、いわゆる、フラグメンテーションが生じる場合がありうる。このようなフラグメンテーションが生じた場合、機器によっては該フラグメンテーションを解消する動作であるところの、いわゆる、デフラグメンテーションを行う場合がある。このような機器の場合、該デフラグメンテーション時に、上記タイムマップテーブル、あるいは、上記メタデータを作成するように構成しても良い。上記デフラグメンテーション時には、全データの読出しが行われるので、都合がよい。
【００４１】
また、上記タイムマップテーブル、あるいは、上記メタデータの作成は、プレイリストの作成時、ストリームの再生時、パーソナルコンピュータ等からのデータコピー時などに随時行うことによっても、同様の効果を得ることができることは言うまでもない。また。固定ビットレートのストリームを上記記録媒体に記録する場合には、必ずしも上記タイムマップテーブルは必要でないので、固定ビットレートのストリーム記録時には上記タイムマップの記録を省略するよう構成してもよい。この場合には、上記タイムマップ情報の記録を省略することが可能であるので、機器の動作を簡略化できコストダウンできる効果がある。
【００４２】
【発明の効果】
以上説明したように、本発明によれば、映像データに関連する関連情報を撮影時に限らず後から簡単に追加記録できる。
【図面の簡単な説明】
【図１】本発明の実施の形態における記録再生装置を表すブロック図である。
【図２】本発明の記録再生装置が用いる記録媒体に記録されるデータの構成図である。
【図３】従来の記録再生装置のブロック図である。
【図４】従来の記録再生装置のデータ記録形態を説明するための図である。
【符号の説明】
１０３  カメラ信号処理部
１０４  画像特徴抽出部
１０６  圧縮伸長処理部
１０９  ＣＰＵ
１１１  記録再生処理部
１１２  ディスク状の記録媒体
１１３  デジタルインターフェース
１１７  スイッチ
【図１】
2004357157.tif 000003
【図２】
2004357157.tif 000004
【図３】
2004357157.tif 000005
【図４】
2004357157.tif 000006